(57)【要約】【課題】発光効率を高め、製作を容易にするプラズマディスプレイパネルを提供する。【解決手段】対向配置される第１基板及び第２基板と、この第１基板に一方向に伸びて形成されるアドレス電極と、これと交差する方向に配置される第１隔壁部材と、アドレス電極と平行な方向に配置される第２隔壁部材を含みつつ、第１基板側に複数の第１放電セルを区画する第１隔壁と、両基板の間で第１放電セルを区画する第１隔壁部材に対応して第１放電セル内側に配置され、隣接した第１隔壁部材と各々平行な方向に沿って長く連結形成される第１電極及び第２電極と、第１隔壁部材と対応する形状に第１基板に向かって突出形成される第３隔壁部材と、第２隔壁部材と対応する形状に第１基板に向かって突出形成される第４隔壁部材を含みつつ、第２基板側に第１放電セルに対応する第２放電セルを区画する第２隔壁と、放電セル内に形成される蛍光体層とを含む。【選択図】図３
2006120630.tif 000002
【特許請求の範囲】
【請求項１】
対向配置される第１基板及び第２基板と、
前記第１基板に一方向に伸びて形成されるアドレス電極と、
前記アドレス電極と交差する方向に配置される第１隔壁部材と、前記アドレス電極と平行な方向に配置される第２隔壁部材を含みつつ、前記第１基板側に複数の第１放電セルを区画する第１隔壁と、
前記第１基板と第２基板との間で、前記第１放電セルを区画する第１隔壁部材に対応して前記第１放電セル内側に配置され、隣接した第１隔壁部材と各々平行な方向に長く連結形成される第１電極及び第２電極と、
前記第１隔壁部材と対応する形状に前記第１基板に向かって突出形成される第３隔壁部材と、前記第２隔壁部材と対応する形状に前記第１基板に向かって突出形成される第４隔壁部材を含みつつ、前記第２基板側に前記第１放電セルに対応する第２放電セルを区画する第２隔壁と、
前記第１または第２の放電セルの内に形成される蛍光体層を含むプラズマディスプレイパネル。
【請求項２】
前記第１電極及び第２電極の外面が誘電層で覆われた構造である、請求項１に記載のプラズマディスプレイパネル。
【請求項３】
前記第１電極及び第２電極の横断面において、前記第１電極及び第２電極の垂直方向の長さは、前記第１隔壁の高さと第２隔壁の高さの合計の１/２以下の長さに形成される、請求項１に記載のプラズマディスプレイパネル。
【請求項４】
前記第１電極の垂直方向の長さ（ｈ1）と第２電極の垂直方向の長さ（ｈ2）は、いずれも５０μｍ以下に形成される、請求項３に記載のプラズマディスプレイパネル。
【請求項５】
前記第１隔壁の高さは前記第２隔壁の高さより低く形成される、請求項１に記載のプラズマディスプレイパネル。
【請求項６】
前記第１隔壁の高さは前記第１電極の横断面における前記第１電極の垂直方向長さと、この第１電極を覆う誘電層の高さの合計と同じ高さに形成される、請求項５に記載のプラズマディスプレイパネル。
【請求項７】
前記第１隔壁の高さは前記第２電極の垂直方向の長さと、この第２電極を覆う誘電層の高さの合計と同じ高さに形成される、請求項６に記載のプラズマディスプレイパネル。
【請求項８】
前記第１電極及び第２電極の横断面において、前記基板と平行な方向の長さより前記基板に垂直な方向への長さがさらに長く形成される、請求項１に記載のプラズマディスプレイパネル。
【請求項９】
前記第１電極の前記基板と平行な方向の長さは前記第２電極の前記基板と平行な方向の長さと同じに形成され、前記第１電極の前記基板に垂直な方向の長さは前記第２電極の前記基板に垂直な方向の長さと同じに形成される、請求項８に記載のプラズマディスプレイパネル。
【請求項１０】
前記第１電極の横断面において、前記基板に垂直な方向への長さは前記基板と平行な方向の長さよりさらに長く形成され、
前記第２電極の横断面において、前記基板と平行な方向の長さは第１電極の前記基板と平行な方向の長さよりさらに長く形成され、前記基板に垂直な方向の長さは第１電極の前記基板に垂直な方向の長さと同じに形成される、請求項１に記載のプラズマディスプレイパネル。
【請求項１１】
前記第１電極の横断面において、前記平行な方向の二つの面と垂直方向の二つの面が誘電層で覆われる構造に形成され、
前記第２電極の横断面において、前記平行な方向の第２基板側一面と垂直方向の二つの面が誘電層で覆われる構造に形成される、請求項１０に記載のプラズマディスプレイパネル。
【請求項１２】
前記第１基板と前記アドレス電極との間に光反射誘電層が含まれる、請求項１に記載のプラズマディスプレイパネル。
【請求項１３】
前記光反射誘電層は薄膜またはペースト状態の誘電体からなる、請求項１２に記載のプラズマディスプレイパネル。
【請求項１４】
前記蛍光体層は、前記第２放電セルを区画する第３隔壁部材及び第４隔壁部材の内側と、この第３隔壁部材及び第４隔壁部材で区画される第２基板の内表面とに形成される、請求項１に記載のプラズマディスプレイパネル。
【請求項１５】
前記蛍光体層は１０μｍ以下の厚さに形成される、請求項１４に記載のプラズマディスプレイパネル。
【発明の詳細な説明】
【技術分野】
【０００１】
本発明はプラズマディスプレイパネルに関し、より詳しくは発光効率が高く、製作が容易な対向放電型プラズマディスプレイパネルに関するものである。
【背景技術】
【０００２】
一般に、プラズマディスプレイパネル（以下、‘PDP'と言う）は気体放電によって得られたプラズマから放射される真空紫外線（VUV）が蛍光体を励起することによって発生する可視光を利用して映像を実現するディスプレイ素子である。このPDPは６０インチ以上の超大型画面を僅か１０cm以内の厚さに実現することができる。また、PDPは陰極線管（CRT）のような自発光ディスプレイ素子であるので、色再現力が優れていると共に、視野角を広げても歪曲現象を生じない特徴を有する。さらに、PDPは液晶表示素子（LCD）などに比べて製造方法が単純であるので、生産性及び原価側面でも長所を有する。このような長所のために、PDPは次世代産業用平板ディスプレイ及び家庭用テレビディスプレイに適している。
【０００３】
公知のPDP構造には、まず、３電極面放電型構造がある。この３電極面放電型構造は、前面基板と、これから一定の距離をおいて対向配置された背面基板を含み、前面基板上には表示電極が形成され、背面基板上には表示電極と交差する方向に連なるアドレス電極が形成される。そして、これら前面基板と背面基板との間に放電ガスが封入され、両基板が封着される。このPDPは、各駆動信号線に１本ずつ連結されて独立的に制御される走査電極と、この走査電極と交差形成されるアドレス電極との間にアドレス放電を起こし、次いで同一面上に位置した走査電極と、これに並行し対向する維持電極との間に維持放電を起こさせる。アドレス放電は、各放電セル内での放電有無を決定する役割を果たし、維持放電は輝度を表示する役割を果たす。
【０００４】
次に、この面放電型PDPに比較される３電極対向放電型PDPがある。この対向放電型PDPは駆動方法において面放電型PDPと類似している。この対向放電型PDPでは維持放電のための走査電極及び維持電極が放電セルの両側、例えば左右隔壁の内面にあって、対向形態に備えられる。したがって、放電間隔を、面放電型PDPの場合より、さらに長く形成することができ、これによって発光効率が向上する。しかし、対向放電型PDPは放電開始電圧が高くて製作が難しいという短所を有する。つまり、対向放電型PDPを製作する場合には、隔壁に維持電極及び走査電極を対向形態に設置することが難しい。また、高精細PDPである場合、微細隔壁に維持電極及び走査電極を設置することはさらに難しい。また、隔壁に維持電極と走査電極を設置すれば、放電セル内で最大の長さが放電間隔になる。したがって、別途の付加的要素が備えられない限り、維持放電のために高い放電開始電圧が要求される。
【発明の開示】
【発明が解決しようとする課題】
【０００５】
本発明の目的は、維持電極と走査電極を対向させて形成し配置することによって発光効率を高め、製作を容易にするプラズマディスプレイパネルを提供することにある。
【課題を解決するための手段】
【０００６】
本発明によるプラズマディスプレイパネルは、対向配置される第１基板及び第２基板と、この第１基板に一方向に伸びて形成されるアドレス電極と、アドレス電極と交差する方向に伸びて形成配置される第１隔壁部材と、アドレス電極と平行な方向に伸びて形成配置される第２隔壁部材を含みつつ、前記第１基板側に複数の第１放電セルを区画する第１隔壁と、第１基板と第２基板との間で前記第１放電セルを区画する第１隔壁部材に対応して第１放電セル内側に配置し、隣接した第１隔壁部材と各々平行な方向に沿って長く連結形成される第１電極及び第２電極と、前記第１隔壁部材と対応する形状に第１基板に向かって突出形成される第３隔壁部材と、第２隔壁部材と対応する形状に第１基板に向かって突出形成される第４隔壁部材を含みつつ、前記第２基板側に前記第１放電セルに対応する第２放電セルを区画する第２隔壁と、前記放電セルの内に形成される蛍光体層とを含む。
前記第１電極及び第２電極の外面は誘電層で覆われた構造であることが好ましい。
【０００７】
前記第１電極及び第２電極の横断面において、第１電極及び第２電極の垂直方向の長さは、前記第１隔壁の高さと第２隔壁の高さの合計の１/２以下に形成される。この第１電極の垂直方向の長さ（ｈ１）と第２電極の垂直方向の長さ（ｈ２）は、いずれも５０μｍ以下に形成される。このように第１電極及び第２電極が第２基板に形成される蛍光体層から遠い距離を維持して蛍光体層の劣化を防止することができる。
【０００８】
また、第１隔壁の高さは前記第２隔壁の高さより低く形成される。この第１隔壁の高さは、第１電極の横断面における前記第１電極の垂直方向の長さと、この第１電極を覆う誘電層の高さの合計と同じ高さに形成される。また、この第１隔壁の高さは第２電極の垂直方向の長さと、この第２電極を覆う誘電層の高さの合計と同じ高さに形成される。
前記第１電極及び第２電極の横断面において、前記基板と平行な方向の長さより前記基板に垂直な方向への長さがさらに長く形成され、その結果、円滑な対向放電が可能になる。
【０００９】
この第１電極の前記基板と平行な方向の長さは、前記第２電極の前記基板と平行な方向の長さと同じに形成され、前記第１電極の前記基板に垂直な方向の長さは、前記第２電極の前記基板に垂直な方向の長さと同じに形成されることが好ましい。
【００１０】
また、前記第１電極の横断面において、前記基板に垂直な方向への長さは前記基板と平行な方向の長さよりさらに長く形成され、前記第２電極の横断面において、前記基板と平行な方向の長さは第１電極の前記基板と平行な方向の長さよりさらに長く形成され、前記基板に垂直な方向の長さは第１電極の前記基板に垂直な方向の長さと同じに形成される。第２電極の平行方向の長さが増大することによって、第２電極とアドレス電極との間の対向面積が大きく形成され、アドレス放電が容易になる。
【００１１】
この第１電極の横断面において、前記平行な方向の二つの面と垂直方向の二つの面が誘電層で覆われる構造に形成され、前記第２電極の横断面において、前記平行な方向の第２基板側一面と垂直方向の二つの面が誘電層で覆われる構造に形成される。
【００１２】
また、前記第１基板とアドレス電極との間に光反射誘電層が含まれる。この光反射誘電層は薄膜またはペースト状態の誘電体で構成される。この光反射誘電層は前記放電セルで発生する可視光或いは真空紫外線を効果的に反射し、これによって、発光効率を向上させ得る。
【００１３】
前記蛍光体層は、前記第２放電セルを区画する第３隔壁部材及び第４隔壁部材の内側と、この第３隔壁部材及び第４隔壁部材で区画される第２基板の内表面とに形成される。
【００１４】
この蛍光体層は１０μｍ以下の厚さに形成されて、可視光の透過率低下を防止する。
【発明の効果】
【００１５】
本発明によるプラズマディスプレイパネルによれば、背面基板に第１放電セルを区画する隔壁が備えられ、この隔壁の内側に維持電極及び走査電極が備えられる。また、前面基板に第２放電セルを区画する隔壁が備えられ、この隔壁内に蛍光体層が備えられる。このような構造により、対向放電が実現され、維持放電で発生した可視光が前面基板に透過して発光効率が向上する。また、この両基板を封着させることにおいて、電極群と蛍光体層が互いに異なる基板に形成されるので、PDPの製作が容易になる効果がある。
【００１６】
また、本発明によれば、維持電極及び走査電極が隔壁の側面に備えられることによって、隔壁及び電極の製作がさらに容易になる。また、背面基板とアドレス電極との間に光反射誘電層が備えられることによって、放電セル内の可視光及び真空紫外線を前面基板側に反射し、発光効率がさらに向上する。
【発明を実施するための最良の形態】
【００１７】
以下、添付した図面を参照して本発明の実施例について、本発明の属する技術分野における通常の知識を有する者が容易に実施できるように詳細に説明する。しかし、本発明は多様で相異なる形態に実現することができ、ここで説明する実施例に限定されない。図面で本発明を明確に説明するために説明上不必要な部分は省略しており、明細書全体にわたって同一または類似な構成要素については同一な参照符号を付けた。
【００１８】
図１は本発明の第１実施例によるプラズマディスプレイパネルを示した部分分解斜視図であり、図２は本発明の第１実施例によるプラズマディスプレイパネルで電極と放電セルの構造を概略的に示した部分平面図であり、図３は図１に示されたプラズマディスプレイパネルを結合した状態のIII-III線による部分断面図である。
【００１９】
本実施例によるPDPは基本的に第１基板１０（以下、‘背面基板’と言う）と第２基板２０（以下、‘前面基板’と言う）とが、これらの間に互いに間隔を有する状態で対向配置される。この背面基板１０には第１隔壁１６が、前面基板２０には第２隔壁２６が、各々備えられ、この両隔壁１６、２６によって各々背面基板１０側の放電空間１８と前面基板２０側の放電空間２８が形成されて、複数の放電セル１８、２８が区画される。
【００２０】
この放電空間の内部には真空紫外線が衝突することによって可視光を放出する蛍光体層２９が形成される。また、この放電空間内部には気体放電を起こすための放電ガス（例えば、キセノン（Xe）、ネオン（Ne）などを含む混合ガス）が充填される。
【００２１】
背面基板１０の内面には一方向（図面のｙ軸方向）に沿って伸びて形成される複数のアドレス電極１２が備えられる。これらのアドレス電極１２は背面基板１０の内面全体を覆う誘電層１４によって覆われる。このアドレス電極１２は隣接する他のアドレス電極１２と放電セル１８、２８に対応する間隔（ｘ軸方向）を維持しつつ互いに平行に配置される。
【００２２】
隔壁１６、２６は背面基板１０と前面基板２０との間に形成される第１隔壁１６（以下、‘背面板隔壁’と言う）及び第２隔壁２６（以下、‘前面板隔壁’と言う）で構成される。背面板隔壁１６は背面基板１０に隣接して前面基板２０に向かって突出形成され、前面板隔壁２６は前面基板２０に隣接して背面基板１０に向かって突出形成される。
【００２３】
背面板隔壁１６は背面基板１０に形成される誘電層１４上に形成される。この背面板隔壁１６はアドレス電極１２と交差する方向に配置される第１隔壁部材１６aと、この第１隔壁部材１６aと交差してアドレス電極１２と平行な方向に配置される第２隔壁部材１６bとで構成される。この第１隔壁部材１６a及び第２隔壁部材１６bによって各々の放電セル１８が独立的な放電空間として区画される。
【００２４】
前面板隔壁２６は第１隔壁部材１６aと対応する形状になる第３隔壁部材２６aと、第２隔壁部材１６bと対応する形状になる第４隔壁部材２６bで構成される。したがって、第３隔壁部材２６a及び第４隔壁部材２６bは第１隔壁部材１６a及び第２隔壁部材１６bの配置関係のように互いに交差する方向に形成され、背面基板１０の第１放電セル１８に対応する第２放電セル２８が前面基板２０に形成される。つまり、放電空間は第１及び第２放電セル１８、２８によって形成される。
【００２５】
一方、背面基板１０と前面基板２０との間には、第１放電セル１８を区画する第１隔壁部材１６aと平行な方向（図面のｘ軸方向）に沿って第１電極３１（以下、‘維持電極’と言う）及び第２電極３２（以下、‘走査電極’と言う）が各々伸びて形成される。また、この維持電極３１と走査電極３２は第１放電セル１８の両側を形成する隣接した第１隔壁部材１６a各々に一つずつ対応し、第１放電セル１８の内側を形成する第１隔壁部材１６a内側面に備えられる。その結果、維持電極３１と走査電極３２を隔壁の内部に形成する方法に比べて隔壁及び電極を容易に形成することができる。
【００２６】
走査電極３２は、この走査電極３２と交差配置されるアドレス電極１２と共にアドレス期間の放電に関与し、点灯される放電セル１８、２８を選択する役割を果たす。また、維持電極３１と走査電極３２は維持期間の放電に関与し、画像を表示する役割を果たす。しかし、各電極はこれに印加される信号電圧によってその役割を異ならせて行うことができるので、本発明が以上に限定される必要はない。
【００２７】
この維持電極３１及び走査電極３２の外面は誘電層３４で覆われる構造に形成されることが好ましい。これによって、アドレス期間及び維持期間で要求される壁電荷が誘電層３４上に形成されて放電電圧が低くなることがある。
【００２８】
本実施例で背面板隔壁１６の高さhr10は前面板隔壁２６の高さhr２0より低く形成され、前面板隔壁２６の高さhr20が５０μｍ以上であることを目標にしているので、背面板隔壁１６の高さhr10は５０μｍ（hr20最低値）より短く形成されるのが好ましい。また、維持電極３１または走査電極３２の横断面において、維持電極３１または走査電極３２の垂直方向への長さ（h1、h2）は共に、背面板隔壁１６の高さhr10と前面板隔壁２６の高さhr20の合計（hr10+hr20）の１/２以下の長さhに形成されるのが好ましい。
【００２９】
つまり、維持電極３１及び走査電極３２が背面板隔壁１６の第１隔壁部材１６aの側面に形成されるために、この維持電極３１及び走査電極３２の垂直な方向への長さhは０より長く、５０μｍよりは短く形成されるのが好ましい。
【００３０】
また、背面板隔壁１６の高さhr10は、維持電極３１の垂直方向への長さh1と維持電極３１を覆う誘電層３４高さiの合計値（h1+ｉ）と同じ高さに形成され、走査電極３２の垂直方向への長さh2と、この走査電極３２を覆う誘電層３４高さiの合計値（h2+ｉ）とも同じ高さに形成されるのが好ましい。なお、ここで記した“同じ高さ”とは、生産的に同じという意味であって、例えば、各素材を積層してから研磨する場合であっても、０.１μｍ程度の誤差は許容されるべきであり、経験的に設定した積層速度により所定時間の積層作業を実施しただけならば、隔壁２６の高さhr20最低値が５０μｍであるから、許容誤差はプラス・マイナス５μｍ程度に達すると思われる。このような許容誤差は、特許請求の範囲全体に適用されるべきであると考える。
【００３１】
本実施例において、維持電極３１及び走査電極３２は背面板隔壁１６に対応して形成され、蛍光体層２９は前面基板２０側に形成される。したがって、前述したように、背面板隔壁１６と前面板隔壁２６の寸法関係及び、維持電極３１及び走査電極３２の背面板隔壁１６との寸法関係は維持放電による蛍光体層２９の劣化を効果的に防止することができる。
【００３２】
また、維持電極３１及び走査電極３２の横断面図において、両基板１０、２０の主面に平行な方向（横断面と基板面の交線に平行な方向：例えばｙ軸方向）への長さｗ１、ｗ２より両基板１０、２０の主面に垂直な方向（法線方向：ｚ軸方向）への長さh1、h２をさらに長く形成する、つまり、板状の電極が基板面上に立てて置かれているようなものが好ましい。したがって、維持電極３１と走査電極３２との間で対向放電が一層容易に誘導され、これによって発光効率が高くなる。
【００３３】
また、図３に示すように、この維持電極３１の、基板面（主面）と平行な方向への長さw１は走査電極３２の基板面と平行な方向への長さw２と同じに形成し、維持電極３１の垂直方向への長さh1は走査電極３２の垂直方向への長さh２と同じに形成することが好ましい。これによって、維持電極３１と走査電極３２との間の対向放電が効果的に相互対称になる。
【００３４】
一方、維持電極３１と走査電極３２を覆っている誘電層３４の表面にはMgO保護膜３６を形成することができる。特に、このMgO保護膜３６は誘電層３４の表面中放電セル１８内部の放電空間で起こるプラズマ放電に露出される部分に形成することができる。本実施例における維持電極３１と走査電極３２は前面基板２０に形成されない。したがって、これら維持電極３１と走査電極３２を覆っている誘電層３４に塗布されるMgO保護膜３６は、不透明材料、例えば可視光非透過性の特性を有するMgOで形成することができる。この可視光非透過性MgOは可視光透過性MgOに比べて非常に高い二次電子放出係数値を有し、したがって、放電開始電圧をさらに下げることができる。
【００３５】
誘電層３４及びMgO保護膜３６を有する維持電極３１及び走査電極３２は、第１及び第３隔壁部材１６ａ、２６aと平行に配置され、第２隔壁部材１６ｂ、２６ｂと交差配置される。また仮に隔壁部材側面が曲面であるならば、維持電極３１及び走査電極３２を、この曲面に沿って曲げることが望ましい。
【００３６】
また、このような維持電極３１と走査電極３２は通電性に優れた金属電極で形成されることが好ましい。
【００３７】
一方、背面基板１０とアドレス電極１２との間には光反射誘電層１５を備えることができる。この光反射誘電層１５は薄膜の誘電体で形成したり、ペースト状態の誘電体で形成することができる。また、この光反射誘電層１５は可視光や真空紫外線を効果的に反射させる材質で形成することが好ましい。一方、第１放電セル１８で発生した可視光が前面基板２０に透過するので、この光反射誘電層１５は可視光の透過を妨害しなくなる。したがって、光反射誘電層１５は黒色や白色を含んで多様な色の誘電体で形成することができる。
【００３８】
一方、前面基板２０に隣接して形成される第３隔壁部材２６a及び第４隔壁部材２６bの内側面と、この第３隔壁部材２６a及び第４隔壁部材２６bによって区画される前面基板２０の内表面に蛍光体層２９が形成される。つまり、この蛍光体層２９は第２放電セル２８に形成される。このような蛍光体層２９は前面基板２０上に誘電層を塗布して前面板隔壁２６を形成した後、前記誘電層上に蛍光体層を塗布することができる。他の方法としては、前記誘電層を前面基板２０に塗布せず、この前面基板２０上に前面板隔壁２６を形成して蛍光体層２９を塗布することもできる。さらに、前面基板２０を第２放電セル２８の所定形状に合わせて仕上げエッチングしたり、前面基板２０を第１放電セル１８の形状に合わせてエッチングした後、その第２放電セル２８のエッチング面上に蛍光体層２９を塗布形成することも可能である。この時、前面板隔壁２６は前面基板２０と同一な材料で形成される。
【００３９】
一方、本実施例において、真空紫外線（VUV）は第１放電セル１８内部で起こる放電によって発生し、前面基板２０側に向かう真空紫外線によって蛍光体層２９が励起され可視光が発生する。したがって、可視光の透過率を高めるために蛍光体層２９の厚さは通常のPDPで背面基板に形成される蛍光体層の厚さより薄く形成されるのが好ましい。通常の場合、蛍光体層が３０μｍの厚さに形成されるので、本実施例の蛍光体層２９は１０μｍ以下の厚さに形成されるのが好ましい。この蛍光体層２９の厚さを薄く形成することによって、真空紫外線の損失が最少化され、発光効率を向上させることができる。
このように、背面基板１０に背面板隔壁１６と維持電極３１及び走査電極３２を備える工程、前面基板２０に前面板隔壁２６と蛍光体層２９を備える工程、及び背面基板１０と前面基板２０を相互封着する工程によってPDPが製作される。
【００４０】
本発明の第２実施例は第１実施例と全体的な構成及び作用効果が同一乃至類似しているので、ここでは同一及び類似な部分についての詳細説明を省略し、互いに異なる部分について説明する。
【００４１】
図４に示したように、本発明の第２実施例による走査電極２３２は第１実施例の走査電極３２と互いに異なる構造に形成される。より具体的に説明すれば、まず、維持電極２３１の横断面では第１実施例のように、基板１０、２０と平行な方向（ｙ軸方向）の長さw１より基板１０、２０に垂直な方向（ｚ軸方向）への長さh1がさらに長く形成される。しかし、走査電極２３２の横断面では、基板１０、２０と平行な方向（ｙ軸方向）の長さw２が維持電極２３１の基板１０、２０と平行な方向の長さw１より長く形成され、垂直方向の長さh２が維持電極２３１の垂直方向長さh1と同じに形成する。つまり、走査電極２３２のｙ軸方向への長さw２が維持電極２３１のｙ軸方向への長さw１より長く形成されることにより、走査電極２３２とアドレス電極１２との対向面積が増大し、アドレス放電がより容易になる。
【００４２】
本発明の第３実施例は第２実施例と全体的な構成及び作用効果が同一乃至類似しているので、ここでは同一及び類似な部分についての詳細説明を省略し、互いに異なる部分について説明する。
【００４３】
図５に示したように、本発明の第３実施例による維持電極３３１は第２実施例の維持電極２３１と互いに異なる構造に形成される。つまり、維持電極３３１は第２実施例とは異なって、維持電極３３１の横断面における平行方向の二つの面（ｚ軸に対して上下面）と垂直方向の二つの面（ｙ軸に対して左右面）が誘電層３３４で覆われた構造に形成される。一方、走査電極３３２は第２実施例のように、走査電極３３２の横断面で平行方向の前面基板２０側一面だけと垂直方向の二面が誘電層３４で覆われた構造に形成される。その結果、維持電極３３１はアドレス電極１２と誘電層３４の厚さだけさらに離隔して配置され、維持電極３３１とアドレス電極１２との間で生じる誤ったアドレス放電、つまり、誤放電を効果的に防止することができる。
【００４４】
以上、本発明の好ましい実施例について説明したが、本発明はこれに限定されず、特許請求の範囲と発明の詳細な説明及び添付した図面の範囲内で多様に変形または変更して実施することができ、これもまた本発明の範囲に属するのは当然である。
【図面の簡単な説明】
【００４５】
【図１】本発明の第１実施例によるプラズマディスプレイパネルを示した部分分解斜視図である。
【図２】本発明の第１実施例によるプラズマディスプレイパネルにおける電極と放電セルの構造を概略的に示した部分平面図である。
【図３】図１に示されたプラズマディスプレイパネルを結合した状態のIII-III線による部分断面図である。
【図４】本発明の第２実施例によるプラズマディスプレイパネルの部分断面図である。
【図５】本発明の第３実施例によるプラズマディスプレイパネルの部分断面図である。
【符号の説明】
【００４６】
１０  第１基板（背面基板）
１２  アドレス電極
１４、３４、３３４  誘電層
１６  第１隔壁（背面板隔壁）
１６a  第１隔壁部材
１６b  第２隔壁部材
１８、２８  放電セル
２０  第２基板（前面基板）
２６  第２隔壁（前面板隔壁）
２６a  第３隔壁部材
２６b  第４隔壁部材
２９  蛍光体層
３１、２３１、３３１  第１電極（維持電極）
３２、２３２、３３２  第２電極（走査電極）
３６  MgO保護膜
【図１】
2006120630.tif 000003
【図２】
2006120630.tif 000004
【図３】
2006120630.tif 000005
【図４】
2006120630.tif 000006
【図５】
2006120630.tif 000007